(57)【特許請求の範囲】
【請求項１】
骨切削時に骨片を含む冷却液、血液等の液状物を吸引する吸引管路に設けられ、その液状物から前記骨片を分離の為に濾過して採取する骨片採取装置のユニット本体に配置され
た骨片採取後にユニット本体より取り出した前記液状物から骨片を濾過するための容器状の骨片濾過機能を果たす着脱可能なフィルター部材と、
前記フィルター部材のメッシュ部外周壁に嵌合し、遮水性を有する内周壁を備える形状のフィルター保持器と、を有することを特徴とする骨片採取装置。
【請求項２】
請求項１に加えて、請求項２に記載のフィルター保持器の正立安定性を確保するように前記フィルター直径に対してより広い基底辺部面積を備えることを特徴とするフィルター保持器を有する骨片採装置。
【請求項３】
請求項１に加えて、請求項１に記載のフィルター保持器を手術用カフや手術台に、面ファスナーあるいは粘着テープを利用して正立状態で安定固定させる手立てを基底部に備えることを特徴とするフィルター保持器を有する骨片採取装置。
【請求項４】
請求項１に加えて、請求項１に記載のフィルター保持器を透明あるいは半透明な材質を用いるとともに、前記フィルター保持器内周壁あるいは外周壁に目盛りをつけることによって、内容量を容易に把握できる様にしたフィルター保持器を有する骨片採取装置。
【請求項５】
請求項１に加えて、骨切削器具の外形を取り囲むように内側部が一部あるいは全周に亘り開口したリング状、あるいは中空チューブ状の外圧をかけることによって手術部位設置面の形状に適合変形する軟性樹脂、あるいは前記軟性樹脂に手術部位に適合するように自由変形する線材をインサート成型した吸引ダムチップと、
その外側部に請求項１に記載のユニット本体の吸引ノズル側部分を接合する為の中空チューブ内側部に貫通する筒状の吸引ダムチップジョイント部と、を含み、ユニット本体に装着した前記リング状吸引ダムチップの底部を骨表面に密着するように骨切削ドリルの周囲に配置して吸引することによって唾液などの吸引を可及的に防止するとともに、切削骨の流失を減少させ切削骨採取量を増大させるようにしたことを特徴とする骨片採取装置。
【請求項６】
請求項４に加えて、請求項４に記載の吸引ダムチップの基底面（骨設置面）に骨面に食い込み位置を安定固定するための一個あるいは数個配置したスパイクを持つ吸引ダムチップを有する骨片採装置。
【発明の詳細な説明】
【技術分野】
この発明は歯科インプラント手術におけるインプラント窩穿設時に生じる骨片や、非移植側から選択的に骨を採取する自家骨採取装置により採取された骨片を移植側に補填する技術に関わる。
【背景技術】
従来、インプラント手術においては、インプラント体を埋植する際に、骨量が不足している場合、自家骨移植法がしばしば応用され、インプラント窩が顎骨内に穿設されるとき、タービンから噴出する冷却水や、唾液、血液及び顎骨の切削によって生ずる骨片等を歯科用バキュウム装置の吸引チップにフィルター等を用いて選択的に採取し、この採取された骨片を、シリンジ形状の骨片採取装置により骨片単独で直接骨補填するか、あるいはダッペンディッシュ等に移し替え、他の物質と混合攪拌の上移植されていた。しかしながら、臨床の場においては操作性、骨誘導能率あるいは感染予防の見地から自家骨単独で補填される状況はまれであり、採取した骨は一旦他の容器に移された上で他の物質と混合攪拌して使用される症例が多いが、前述の如く、一般的にインプラント体を埋植する際、骨量が不足している症例における自家骨移植法では、補填材料として顎骨の切削によって生ずる骨片等を歯科用バキュウム装置の吸引チップにフィルター等を用いて選択的に採取した骨片を、他の物質と混合攪拌の上移植していた。また、切削骨片を損失なく採取しようとする場合、口腔内流失骨片を吸引しようとすると、血液、生理食塩水以外に唾液を吸引することになり、これは採取骨の汚染を意味していた。
【発明の開示】
【発明が解決しようとする課題】
発明が解決しようとする課題は、採取した骨片を、他の物質と混合攪拌する場合、ダッペンディッシュ等に移し替える必要を無くすることによって骨補填操作を簡略化することと、さらに、骨補填用の採取骨容器の転倒を防止して貴重な採取骨飛散を防ぎ採取骨の取り出しを容易にするとともに、採取骨量を計量して混合攪拌する物質の添加量を容易に定量可能とすることと、切削採取骨片の損失及び唾液による汚染を可及的に防止することを目的としている。
【課題を解決するための手段と発明の効果】
本発明は、上記目的を達成するためになされたものであり、第一の発明は、口腔内から骨片を含む冷却液、唾液、血液等の液状物を吸引する吸引管路に設けられて、その液状物から前記骨片を分離の為に濾過して採取する骨片採取装置であって、通常は、互いに同軸的に連結された状態にあるが、中間の分割部で吸引ノズル側部分と基端側部分とに分割可能であり、吸引ノズル側部分は前記骨片及び液状物を吸引する通路となり、前記基端側部分は前記吸引管路の端部に着脱可能に接続されて主に液状物の吸引経路となるユニット本体と、そのユニット本体の前記分割部分に前記吸引ノズル側部分と基端側部分とにまたがって配置され、前記液状物から骨片を濾過するための容器状のフィルター部分が前記骨片採取装置本体の基端側部分の開口端部内側に嵌合される第一ジョイント部が形成され、その第一ジョイント部の近傍に前記基端部分の開口部から突出するように、かつ前記ユニット本体の吸引ノズル側部分の開口側部内側に嵌合される第二ジョイント部が形成され、それら第一及び第二ジョイント部による吸引ノズル側部分及び基端側部分のジョイント機能と前記容器状のフィルター部による骨片濾過機能とを果たすフィルター部材と、前記フィルター部材の外周壁に嵌合する内周壁を備え、骨片を取り出す際に前記フィルターの安定性を確保するように前記フィルター直径に対してより広い基底辺部面積形状の遮水性を有するフィルター保持器と、を含み、そのフィルター保持器に嵌合固定されたフィルター部材内の骨片に、他の物質を混合攪拌の上取り出せるようにしたことを特徴とする骨片採取装置によって、操作性や骨誘導能率の向上あるいは感染予防を目的として自家採取骨に他の物質を混合攪拌して使用する場合、歯科用バキュウム装置の吸引チップに装着したフィルター等を用いて選択的に採取された骨片を、遮水性を有するフィルター保持器に装着することで液状物を含む他の物質と混合攪拌して使用する場合、ダッペンディッシュ等に移し替える必要がなくなるので、操作性の向上と容器移し替えによる採取骨の目減りを防止することが可能となる。
第二の発明は、第二の発明のフィルター保持器の基底面を、フィルターの直径に対してより広い基底辺部面積を備える形状としてやれば、フィルター内から切削骨を取り出す場合にフィルター保持器の正立安定性をより一層確保することが可能となる。
第三の発明は、第一の発明に記載のフィルター保持器基底部に粘着テープあるいは面ファスナーを装着し、手術用カフや手術台に正立状態で安定固定させ、手指でフィルターを把持することなく骨片を含む補填材を取り出せるようにしたことを特徴とするフィルター保持器を含む骨片採取装置によって、採取骨フィルター容器の転倒や落下あるいは貴重な採取骨飛散を防ぎ採取骨の取り出しを容易にすることができる。
第四の発明は、第一の発明に記載のフィルター保持器を透明あるいは半透明な材質を用いるとともに、内周壁あるいは外周壁に目盛りを表示し、内容量を容易に把握できる様にしたフィルター保持器を含む骨片採取装置によって、採取骨片量とその採取骨片量に応じて混合攪拌する他の物質の最適量を容易に把握することが可能となる。
第五の発明は、骨切削器具の周囲を取り囲むように内側部が一部あるいは全周に亘り開口したリング状の中空チューブに外圧をかけることによって手術部位設置面の形状に適合変形する軟性樹脂、あるいは金属焼きなまし線等の自由変形する線材をインサート成型した軟性樹脂を指圧で手術部位に適合するように自由に変形可能な中空チューブ部を、その外周部に骨片採取装置吸引ノズル側部分で接合する為の吸引ダムチップ内側部と貫通する筒状の吸引ダムチップジョイント部でユニット本体に装着し、骨に接するように固定して骨切削ドリルなどの周囲に配置し吸引することによって唾液などの吸引を可及的に防止しするとともに、切削骨の流失を減少させ切削骨採取量を増大させることが可能となる。
第六の発明は、第五の発明のユニット本体の吸引ノズル側部分に装着した吸引ダムチップのリング状中空チューブ部の骨設置面（下面）に一個あるいは数個のスパイクを配置することによって、前記スパイクが骨面に食い込み、吸引ダムチップ(吸引ノズル)の位置を容易に安定固定することが可能となるので、切削骨の流失を減少させ切削骨採取量を増大させる。
【発明を実施するための最良の形態】
以下、本発明の実施の形態を図示例と共に説明する。
第１図〜第１２図は発明を実施する形態の一例であって、図中、図と同一の符号を付した部分は同一物を表わしており、基本的な構成は図に示す従来のものと同様であるが、本図示例の特徴とするところは、第５図及び第６図に示す如く、骨片を採取したフィルター部分４をフィルター保持器本体２０に装着して使用することを可能とした点と、第７図及び第８図に示す如く、ユニット先端部５に自在変形骨片回収チップ本体３０を装着した点にある。
次に、上記図示例の作動を説明する。こうして、第１図のフィルター部分４を備えるユニット本体１をバキューム装置の先端に装着して、被移植側より骨片を採取する。補填必要量の骨片を採取した後にユニット本体１を分解してフィルター部分４を取り出す。このフィルター部分４をフィルター部１３の外周壁に嵌合する内周壁を備えるフィルター保持器本体２０にフィルター部分４の第一ジョイント部１７のアンダーカットを利用して圧入固定する。前記操作によって、フィルター部分４とフィルター保持器本体２０は一体化するので前記フィルター部分４の直径に対してより広い基底辺部面積形状をもつフィルター保持器基底部２２によってフィルター部分４の正立安定を確保することが可能である。加えて、フィルター保持器本体２０のフィルター保持器基底部２２には粘着テープ、あるいは面ファスナー２１が装着されているので容易に手術用カフや手術台に安定固定することができるので採取骨フィルター容器の転倒や落下を防止して貴重な採取骨飛散を防ぎ採取骨の取り出しを容易にすることができる。また、フィルター部分４をフィルター部１３の外周壁に嵌合するフィルター保持器本体２０の遮水性を有する内周壁によって、移植部位の骨造成を促進させるために添加される他の物質（固形物あるいは液状物）と採取骨片をフィルター部分４内において直接混合攪拌する場合、微細な固形物や液状物がメッシュ材１５から流出することなくフィルター部分４に保持されるので採取骨片を他の容器に移し替えて他の物質（固形物あるいは液状物）と混合攪拌する必要がない。さらに、透明あるいは半透明な材質で作製されたフィルター保持器２０の内周壁あるいは外周壁に表示された目盛りを利用すれば内容量を容易に計量することが可能となり、採取骨片量に対応する混合攪拌する他の物質の最適量を容易に把握することが可能となる。次に第７図及び第８図に示すように口腔内で実際に自家骨採取を実施する場合、ユニット先端部５に、第９図から第１１図に示すような自在変形骨片回収チップ本体３０を中空チューブ形状の自在変形骨片回収チップユニット本体ジョイント部３２を利用して装着し使用する。骨切削を行う部位の周囲に自在変形骨片回収チップダムリング部３１を配置し、自在変形骨片回収チップ維持スパイク部３３を維持の支点としてユニット本体１を矢印の方向に引き上げると第８図に示すように、軟性樹脂などで成型された自在変形骨片回収チップダムリング部３１の基底部が歯槽骨皮質骨６１の形状に適合して自在変形骨片回収チップ生理食塩水及び骨片貯留スペース３４を造りだし骨切削片の流失を防止する。この時、自在変形骨片回収チップダムリング部３１は、粘膜骨膜弁６０を排除して術野の明視とともに切削ドリル５１などで軟組織を傷つけることを防止するだけでなく、自在変形骨片回収チップセンター支持マーク３５は正確な骨切削の位置決めに役立つ。また、第１２図に示すように、自在変形骨片回収チップダムリング部３１にあらかじめ金属焼きなまし線３６をインサート成型しておけば、自在変形骨片回収チップダムリング部３１基底部形状を指圧で任意の形状に容易に変形適応させることが可能となるのでさらに複雑な形状の歯槽骨皮質骨６１にも対応することが可能となる。
尚、本発明の全体の形状およびフィルタージョイント機能部１２及び自在変形骨片回収チップユニット本体ジョイント部３２の材質およびロック機構と、金属焼きなまし線３６の材質と形状については、上述の図示例にのみ限定されるものではなく、本発明の要旨を逸脱しない範囲内において種々変更を加え得ることは勿論である。
以下、本発明の実施の形態を添付図面を参照して説明する。
図〜図は発明を実施する形態の一例であって、図中、図  と同一の符号を付した部分は同一物を表わし、基本的な構成は図に示す従来のものと同様である。
次に、上記した実施の形態の作動を説明する。
尚、本発明の＝＝は、上記した実施の形態に限定されるものではなく、本発明の要旨を逸脱しない範囲内において種々変更を加え得ることは勿論である。
【産業上の利用可能性】
本発明の＝＝は
【図面の簡単な説明】
第１図は、骨片採取装置側面断面図である。
第２図は、第１図の分解拡大図である。
第３図は、第１図フィルター部材の側面を拡大して示すとともに、基端側部分との嵌合状態を拡大して示す図である。
第４図は、フィルター部材の底面図である。
第５図は、フィルター保持器にフィルターを装着した状態を示す側面図である。
第６図は、フィルター保持器にフィルターを装着した状態を示す裏面図である。
第７図は、ユニット本体にリング状の吸引ダムチップを装着の上歯槽骨上に設置した状態を示す図である。
第８図は、歯槽骨上に設置したユニット本体をスパイクで維持して上方に持ち上げ吸引ダムチップの外周を歯槽骨面に適合させた状態を示す図である。
第９図は、吸引ダムチップ上面図である。
第１０図は、吸引ダムチップ正面図である。
第１１図は、吸引ダムチップ側面図である。
第１２図は、第９図吸引ダムチップＡ−Ａの側面断面図である。
【符号の説明】
1ユニット本体、２吸引ノズル側部分、３基端側部分、４フィルター部分、５ユニット先端部、６吸引ノズル部分、８バキューム装置側部分、９バキューム装置接合維持部分、１０骨片採取ユニット、１１係合溝、１２ジョイント機能部、１３フィルター部、１５メッシュ材（濾過材）、１６フランジ、１７第一ジョイント部、１８ストッパー突起、１９第二ジョイント部、２０フィルター保持器本体、２１粘着テープ、あるいは面ファスナー、２２フィルター保持器基底部、２３バキューム装置ジョイント部、３０自在変形骨片回収チップ本体、３１自在変形骨片回収チップダムリング部、３２自在変形骨片回収チップユニット本体ジョイント部、３３自在変形骨片回収チップ維持スパイク部、３４自在変形骨片回収チップ生理食塩水及び骨片貯留スペース、３５自在変形骨片回収チップセンター支持マーク、３６金属焼きなまし線、４５目盛り、５０切削ユニット、５１骨切削ドリル、６０粘膜骨膜弁、６１歯槽骨皮質骨、６２歯槽骨海綿骨
【図１】
0003585125.tif 000002
【図２】
0003585125.tif 000003
【図３】
0003585125.tif 000004
【図４】
0003585125.tif 000005
【図５】
0003585125.tif 000006
【図６】
0003585125.tif 000007
【図７】
0003585125.tif 000008
【図８】
0003585125.tif 000009
【図９】
0003585125.tif 000010
【図１０】
0003585125.tif 000011
【図１１】
0003585125.tif 000012
【図１２】
0003585125.tif 000013